(57)【要約】【課題】太陽電池モジュールを構成する個々のセルのＩ−Ｖ特性を非破壊で推定できるようにする。【解決手段】太陽電池モジュール上に均等な光（例えば１ｓｕｎの）を照射してＩ−Ｖ特性ａを測定する。照射光の強度を変えずに被解析対象セルの上を適当な減光率の減光板を被せ、Ｉ−Ｖ特性ｂを測定する。「モジュールから当該被解析対象セルを除いた（短絡した）Ｉ−Ｖ特性ｃ」を、特性ａの電圧値を（ｎ−１）／ｎ倍した特性で近似する。これは、各セルに電圧が均等に分担されていることを仮定している。当該被解析対象セルの減光した状態でのＩ−Ｖ特性ｄは、同一電流値について特性ｂの電圧値から特性ｃの電圧値を減じた曲線にて推定される。【選択図】        図２
2004281487.tif 000002
【特許請求の範囲】
【請求項１】
ｎ個のセルを直列接続した太陽電池モジュールにおいて、光照射下において任意のｉ（ｉは１以上ｎ−１以下の整数）個の被解析対象セルに減光板を適用した減光モジュールＩ−Ｖ特性と減光板を外した非減光モジュールＩ−Ｖ特性とを測定し、非減光モジュールＩ−Ｖ特性に対し測定電圧に対してのみ（ｎ−ｉ）／ｎを掛けて得た推定モジュールＩ−Ｖ特性を算出して、同一電流値に対して減光モジュールＩ−Ｖ特性の電圧値から推定モジュールＩ−Ｖ特性の電圧値を減じてｉ個の被解析対象セルの減光条件下でのＩ−Ｖ特性を得ることを特徴とする太陽電池の特性評価方法。
【請求項２】
ｎ個のモジュールを直列接続した太陽電池アレイにおいて、光照射下において任意のｉ（ｉは１以上ｎ−１以下の整数）個の被解析対象モジュールに減光板を適用した減光アレイＩ−Ｖ特性と減光板を外した非減光アレイＩ−Ｖ特性とを測定し、非減光アレイＩ−Ｖ特性に対し測定電圧に対してのみ（ｎ−ｉ）／ｎを掛けて得た推定アレイＩ−Ｖ特性算出して、同一電流値に対して減光アレイＩ−Ｖ特性の電圧値から推定アレイＩ−Ｖ特性の電圧値を減じてｉ個の被解析対象モジュールの減光条件下でのＩ−Ｖ特性を得ることを特徴とする太陽電池の特性評価方法。
【請求項３】
ｎ個のセルを直列接続した太陽電池モジュールにおいて、光照射下において減光板を適用しない非減光モジュールＩ−Ｖ特性を測定し、光照射下において任意のｉ（ｉは１以上ｎ−１以下の整数）個の被解析対象セルに第１の減光板を適用した第１減光モジュールＩ−Ｖ特性を測定し、光照射下において前記被解析対象セルに第１の減光板とは減光率の異なる第２の減光板を適用した第２減光モジュールＩ−Ｖ特性を測定し、非減光モジュールＩ−Ｖ特性に対し測定電圧に対してのみ（ｎ−ｉ）／ｎを掛けて得た推定モジュールＩ−Ｖ特性を算出し、第１、第２減光モジュールＩ−Ｖ特性と推定モジュールＩ−Ｖ特性との二つの交点（第１，第２交点）から求まる二つの電流値を、放射照度と電流の比例関係で表し、該比例関係における放射照度零での電流値Ｉｄを補正用電流として、第１、第２減光モジュールＩ−Ｖ特性上で、前記第１、第２交点を該第１、第２交点での電流値を電流値Ｉｄだけ移動させた点を通るように推定モジュールＩ−Ｖ特性をＸ軸（電圧軸）に沿って平行移動させて修正・推定モジュールＩ−Ｖ特性を求め、同一電流値に対して第１または第２減光モジュールＩ−Ｖ特性の電圧値から修正・推定モジュールＩ−Ｖ特性の電圧値を減じてｉ個の被解析対象セルのそれぞれの減光条件下でのＩ−Ｖ特性を得ることを特徴とする太陽電池の特性評価方法。
【請求項４】
ｎ個のセルを直列接続した太陽電池モジュールにおいて、光照射下において減光板を適用しない非減光モジュールＩ−Ｖ特性を測定し、光照射下において任意のｉ（ｉは１以上ｎ−１以下の整数）個の被解析対象セルに第１の減光板を適用した第１減光モジュールＩ−Ｖ特性を測定し、光照射下において前記被解析対象セルに第１の減光板とは減光率の異なる第２の減光板を適用した第２減光モジュールＩ−Ｖ特性を測定し、非減光モジュールＩ−Ｖ特性に対し測定電圧に対してのみ（ｎ−ｉ）／ｎを掛けて得た推定モジュールＩ−Ｖ特性を算出し、同一電流値に対して第１または第２減光モジュールＩ−Ｖ特性の電圧値から推定モジュールＩ−Ｖ特性の電圧値を減じて第１、第２減光セルＩ−Ｖ特性を得、第１、第２減光セルＩ−Ｖ特性から得られる二つの短絡電流と放射照度との比例関係で表し、該比例関係における放射照度零での電流値Ｉｄを補正用電流として、第１、第２減光セルＩ−Ｖ特性のＸ軸（電圧軸）との交点での電流値を電流値Ｉｄだけ移動させた点を通るようにＸ軸（電圧軸）を移動し，ｉ個の被解析対象セルのそれぞれの減光条件下でのＩ−Ｖ特性を得ることを特徴とする太陽電池の特性評価方法。
【請求項５】
ｎ個のモジュールを直列接続した太陽電池アレイにおいて、光照射下において減光板を適用しない非減光アレイＩ−Ｖ特性を測定し、光照射下において任意のｉ（ｉは１以上ｎ−１以下の整数）個の被解析対象モジュールに第１の減光板を適用した第１減光アレイＩ−Ｖ特性を測定し、光照射下において前記被解析対象モジュールに第１の減光板とは減光率の異なる第２の減光板を適用した第２減光アレイＩ−Ｖ特性を測定し、非減光アレイＩ−Ｖ特性に対し測定電圧に対してのみ（ｎ−ｉ）／ｎを掛けて得た推定アレイＩ−Ｖ特性を算出し、第１、第２減光アレイＩ−Ｖ特性と推定アレイＩ−Ｖ特性との二つの交点（第１，第２交点）から求まる二つの電流値を、放射照度と電流の比例関係で表し、該比例関係における放射照度零での電流値Ｉｄを補正用電流として、第１、第２減光アレイＩ−Ｖ特性上で、前記第１、第２交点を該第１、第２交点での電流値を電流値Ｉｄだけ移動させた点を通るように推定アレイＩ−Ｖ特性をＸ軸（電圧軸）に沿って平行移動させて修正・推定アレイＩ−Ｖ特性を求め、同一電流値に対して第１または第２減光アレイＩ−Ｖ特性の電圧値から修正・推定アレイＩ−Ｖ特性の電圧値を減じてｉ個の被解析対象モジュールのそれぞれの減光条件下でのＩ−Ｖ特性を得ることを特徴とする太陽電池の特性評価方法。
【請求項６】
ｎ個のモジュールを直列接続した太陽電池アレイにおいて、光照射下において減光板を適用しない非減光アレイＩ−Ｖ特性を測定し、光照射下において任意のｉ（ｉは１以上ｎ−１以下の整数）個の被解析対象モジュールに第１の減光板を適用した第１減光アレイＩ−Ｖ特性を測定し、光照射下において前記被解析対象モジュールに第１の減光板とは減光率の異なる第２の減光板を適用した第２減光アレイＩ−Ｖ特性を測定し、非減光アレイＩ−Ｖ特性に対し測定電圧に対してのみ（ｎ−ｉ）／ｎを掛けて得た推定アレイＩ−Ｖ特性を算出し、同一電流値に対して第１または第２減光アレイＩ−Ｖ特性の電圧値から推定アレイＩ−Ｖ特性の電圧値を減じて第１、第２減光モジュールＩ−Ｖ特性を得、第１、第２減光モジュールＩ−Ｖ特性から得られる二つの短絡電流と放射照度との比例関係で表し、該比例関係における放射照度零での電流値Ｉｄを補正用電流として、第１、第２減光モジュールＩ−Ｖ特性のＸ軸（電圧軸）との交点での電流値を電流値Ｉｄだけ移動させた点を通るようにＸ軸（電圧軸）を移動し，ｉ個の被解析対象モジュールのそれぞれの減光条件下でのＩ−Ｖ特性を得ることを特徴とする太陽電池の特性評価方法。
【請求項７】
放射照度は迷光分の補正をなされたものであることを特徴とする請求項１から６のいずれかに記載の太陽電池の特性評価方法。
【発明の詳細な説明】
【０００１】
【発明の属する技術分野】
本発明は、太陽電池の特性評価方法に関し、より具体的には、太陽電池モジュール（または太陽電池アレイ）中のセル（またはモジュール）の特性を非破壊にて評価する方法に関するものである。
【０００２】
【従来の技術】
現在、クリーンエネルギー源として太陽電池の導入が図られている。太陽電池が電源設備として社会的なインフラとなるためには、長寿命（２０〜３０年）であることを実証することが重要である。この観点から、１０年以上フィールドで暴露されたシリコン結晶系太陽電池モジュールの劣化評価が行われている。このとき、モジュールの構成要素の劣化を個別に評価することが必要になる。その一環として、モジュールの構成セルをモジュール端子から非破壊的に評価する方法が必要になる。具体的にはセルのＩｓｃ、Ｖｏｃなどを評価することである。
本発明者らは、すでに太陽電池モジュールを構成するセルの特性を、モジュール端子から非破壊的に評価する方法を提案した（非特許文献１参照）。この方法は、第１ステップ：セル数ｎのモジュール全体を均一照度下に置き、モジュールのＩ−Ｖ特性ａを測り、このＩ−Ｖ特性ａからモジュール直列抵抗に対応する勾配の線分ｇを求める、第２ステップ：被解析対象セル（当該セル）にダークを含む３種の減光板を被せたモジュールＩ−Ｖ特性ｃ、ｄ、ｅを測る、第３ステップ：ダークのセルを含むモジュールＩ−Ｖ特性ｅが電圧軸と交わる点の近傍（少し左）に、線分ｇの勾配のｎ／（ｎ−１）の勾配の線分ｆを引く、第４ステップ：線分ｆとモジュールＩ−Ｖ特性ｃ、ｄとの交点の電流Ｉ１、Ｉ２を求める、第５ステップ：これらの電流Ｉ１、Ｉ２と光量との関係から迷光の影響を除去する補正用電流Ｉｄを求める、第６ステップ：ダークのセルを含むモジュールＩ−Ｖ特性ｅが線分ｆと交わる点を、線分ｆ上でＩｄの点に平行移動して求めたＩ−Ｖ特性ｅ′の電流が零となる点とＩ−Ｖ特性ａから求まるＶｏｃとの差から当該セルのＶｏｃを求める、の各ステップを経てセルの特性を評価する方法である。
【０００３】
【非特許文献１】
高久ほか２名、”太陽電池モジュール端子からの構成セル評価方法”、平成１４年電気学会全国大会、７−０７０（２００２．３．２６−２９）
【０００４】
【発明が解決しようとする課題】
先に提案した方法では、減光率の値に制約があり，また，少なくとも４回のモジュールＩ−Ｖ特性の測定が必要であり、かつ評価のためのステップ数が多いため、評価に時間と手間がかかり、より簡便に評価を行う方法が求められていた。また、上記の方法は、正確さに欠けるので、より精度の高い評価方法が求められていた。
【０００５】
【課題を解決するための手段】
上記の課題を解決するため、本発明によれば、ｎ個のセルを直列接続した太陽電池モジュールにおいて、光照射下において任意のｉ（ｉは１以上ｎ−１以下の整数）個の被解析対象セルに減光板を適用した減光モジュールＩ−Ｖ特性と減光板を外した非減光モジュールＩ−Ｖ特性とを測定し、非減光モジュールＩ−Ｖ特性に対し測定電圧に対してのみ（ｎ−ｉ）／ｎを掛けて得た推定モジュールＩ−Ｖ特性を算出して、同一電流値に対して推定モジュールＩ−Ｖ特性の電圧値から減光モジュールＩ−Ｖ特性の電圧値を減じてｉ個の被解析対象セルの減光条件下でのＩ−Ｖ特性を得ることを特徴とする太陽電池の特性評価方法、が提供される。
【０００６】
また、上記の課題を解決するため、本発明によれば、ｎ個のセルを直列接続した太陽電池モジュールにおいて、光照射下において減光板を適用しない非減光モジュールＩ−Ｖ特性を測定し、光照射下において任意のｉ（ｉは１以上ｎ−１以下の整数）個の被解析対象セルに第１の減光板を適用した第１減光モジュールＩ−Ｖ特性を測定し、光照射下において前記被解析対象セルに第１の減光板とは減光率の異なる第２の減光板を適用した第２減光モジュールＩ−Ｖ特性を測定し、非減光モジュールＩ−Ｖ特性に対し測定電圧に対してのみ（ｎ−ｉ）／ｎを掛けて得た推定モジュールＩ−Ｖ特性を算出し、第１、第２減光モジュールＩ−Ｖ特性と推定モジュールＩ−Ｖ特性との二つの交点（第１，第２交点）から求まる二つの電流値を、放射照度と電流の比例関係で表し、該比例関係における放射照度零での電流値Ｉｄを補正用電流として、第１、第２減光モジュールＩ−Ｖ特性上で、前記第１、第２交点を該第１、第２交点での電流値を電流値Ｉｄだけ移動させた点を通るように推定モジュールＩ−Ｖ特性をＸ軸（電圧軸）に沿って平行移動させて修正・推定モジュールＩ−Ｖ特性を求め、同一電流値に対して第１または第２減光モジュールＩ−Ｖ特性の電圧値から修正・推定モジュールＩ−Ｖ特性の電圧値を減じてｉ個の被解析対象セルのそれぞれの減光条件下でのＩ−Ｖ特性を得ることを特徴とする太陽電池の特性評価方法、が提供される。
【０００７】
また、上記の課題を解決するため、本発明によれば、ｎ個のセルを直列接続した太陽電池モジュールにおいて、光照射下において減光板を適用しない非減光モジュールＩ−Ｖ特性を測定し、光照射下において任意のｉ（ｉは１以上ｎ−１以下の整数）個の被解析対象セルに第１の減光板を適用した第１減光モジュールＩ−Ｖ特性を測定し、光照射下において前記被解析対象セルに第１の減光板とは減光率の異なる第２の減光板を適用した第２減光モジュールＩ−Ｖ特性を測定し、非減光モジュールＩ−Ｖ特性に対し測定電圧に対してのみ（ｎ−ｉ）／ｎを掛けて得た推定モジュールＩ−Ｖ特性を算出し、同一電流値に対して第１または第２減光モジュールＩ−Ｖ特性の電圧値から推定モジュールＩ−Ｖ特性の電圧値を減じて第１、第２減光セルＩ−Ｖ特性を得、第１、第２減光セルＩ−Ｖ特性から得られる二つの短絡電流と放射照度との比例関係で表し、該比例関係における放射照度零での電流値Ｉｄを補正用電流として、第１、第２減光セルＩ−Ｖ特性のＸ軸（電圧軸）との交点での電流値を電流値Ｉｄだけ移動させた点を通るようにＸ軸（電圧軸）を移動し，ｉ個の被解析対象セルのそれぞれの減光条件下でのＩ−Ｖ特性を得ることを特徴とする太陽電池の特性評価方法、が提供される。
【０００８】
【発明の実施の形態】
次に、本発明の実施の形態を図面を参照して詳細に説明する。
［第１の実施の形態］
図１は、本発明の実施の形態を説明するための太陽電池モジュールの平面図である。太陽電池モジュール１は、基板２上にｎ個（図示した例では１８個）のセル３を直列に接続し、両端のセルから出力端子４、５を引き出したものである。図２は、特定のセルを被解析対象セルとして解析を行い、当該セルのＩ−Ｖ特性を推定する本発明の第１の実施の形態の評価方法の原理を示す図である。まず、太陽電池モジュール１上に均等な光（例えば１ｓｕｎの）を照射してＩ−Ｖ特性を測定する。次に、照射光の強度を変えずに被解析対象セルの上を適当な減光率の減光板６を被せ、Ｉ−Ｖ特性を測定する。以上の測定により、「モジュール全体のＩ−Ｖ特性ａ」、「当該被解析対象セルだけを減光したモジュールＩ−Ｖ特性ｂ」が求まる。本実施の形態において、当該セルの特性を評価するには、「モジュールから当該セルを除いた（短絡した）Ｉ−Ｖ特性ｃ」が必要となるが、これは実際には測定することができないので、特性ａの電圧値を（ｎ−１）／ｎ倍した特性で近似する。これは、各セルに電圧が均等に分担されていることを仮定している。
【０００９】
当該セルの減光した条件での短絡電流Ｉｓｃは、図２で、特性ｃと特性ｂとの交点での電流値である。なぜなら、特性ｂは、当該セル単体のＩ−Ｖ特性ｄと特性ｃの直列接続の合成特性だからである。同じ理由により、当該セルの減光した状態でのＩ−Ｖ特性ｄは、同一電流値について特性ｂの電圧値から特性ｃの電圧値を減じた曲線にて推定される。
当該被解析対象セルのＩ−Ｖ特性ｄが求まると、これに基づいて各種のパラメータを推定することができる。各種パラメータとは、Ｉｐ（光起電流）、Ｉｓｃ（短絡電流）、Ｖｏｃ（開放電圧）、Ｐｍａｘ（最大出力）、Ｖｐｍａｘ（最大出力電圧）、Ｉｐｍａｘ（最大出力電流）、ＦＦ（曲線因子）、Ｒｓ（直列抵抗）、Ｒｓｈ（並列抵抗）などである。
【００１０】
なお、セル特性を表現するときの放射照度は、任意の放射照度への換算を正確にするため，次式で基板などからの迷光分を分離する。
Ｐｃｅｌｌ  ＝Ｐｓｏｕｃｅ（１−ｋ＋ｐ）／（１−ｐ）      ・・・（１）
ここで、
Ｐｃｅｌｌ：セル特性を表示するときの放射照度
Ｐｓｏｕｃｅ：モジュール全体の放射照度
ｐ：迷光率
ｋ：減光率
なお、迷光は、放射照度に比例し、かつモジュールの構造で決まる常数とする。迷光率の求め方は、モジュール全体を均一な放射照度条件とし、ひとつのセルだけを暗闇にしたときのＩｓｃと、そのときの測定放射照度でのそのセルのＩｓｃとの比から推定する。それぞれのＩｓｃは提案する方法で求める。または、迷光率はモジュールの構造に応じて別途測定しておく。
【００１１】
減光条件には特別の注意が必要である。減光のあるなしにかかわらず、図２の「減光したセルを除いた特性ｃ」が変化しないことである。具体的には、減光板の有無によって近隣のセルの特性が変化しないことである。したがって、減光板はセルの大きさ以下とすることが望ましい。このようにすれば、セル周辺からの迷光の条件も減光に左右されないことになり、上記の条件が満たされる。
【００１２】
（実施例１）
３６個の直列セルから構成されているシリコン結晶系太陽電池モジュールについて測定した。放射照度は０．１７３ｓｕｎ、減光板の減光率は０．３５５である。測定結果を図３（ａ）に示す。図３（ｂ）は、図３（ａ）の特性ｄのみを抜き出した拡大図である。特性ａ、ｂ、ｃ、ｄの意味するところは、図２の場合と同様である。したがって、Ｉ−Ｖ特性ｃは、Ｉ−Ｖ特性ａの電圧値を３５／３６倍したものである。
【００１３】
［第２の実施の形態］
本実施例においても、第１の実施の形態と同様に、図２に示すように、全体を一様な光を照射して測定を行い、被解析対象セルの特定セルをのみ減光して測定を行い、当該特定セルについての解析を行うものであるが、本実施の形態においては、照射光の強度を変えずに減光率の異なる２つの減光板を当該セルに被せて測定を行う。以上の測定により、図４（ａ）に示すように、「モジュール全体のＩ−Ｖ特性ａ」、「当該セルだけを減光率ｆ１の減光板により減光したモジュールＩ−Ｖ特性ｂ」「当該セルだけを減光率ｆ２の減光板により減光したモジュールＩ−Ｖ特性ｃ」が求まる。本実施の形態においも、当該セルの特性を評価するには、「モジュールから当該セルを除いた（短絡した）Ｉ−Ｖ特性ｄ」が必要となるが、これは実際には測定することができないので、各セルに電圧が均等に分担されていると仮定して特性ａの電圧値を（ｎ−１）／ｎ倍した特性で近似する。ここで、特性ｄと特性ｂ、ｃとの交点での電流値をＩ１、Ｉ２とする。
【００１４】
これらの特性から、減光したセルのＩｓｃ、Ｖｏｃを次のように推定する。
Ｉｓｃの推定方法：
Ｉｓｃは、図４（ａ）の、「モジュールから減光したセルだけを除いたモジュールのＩ−Ｖ特性ｄ（近似特性）」と「当該セルだけを減光したモジュールのＩ−Ｖ特性ｂおよびｃ」との交点から求める。二つの交点の値から、図４（ｂ）に示されるように、（放射照度−電流）平面上での２点を結ぶ直線が原点を通るように平行移動させてＩｓｃの検量線を作成する。
Ｖｏｃの推定方法：
Ｖｏｃの第一近似値は、モジュール電圧の１／ｎである。これは図４（ａ）の特性ａのＶｏｃと特性ｄのＶｏｃの差分である。
第一近似値を修正するために、図４（ａ）に示す二つの交点から求まる電流値Ｉ１、Ｉ２と、図４（ｂ）に示す（放射照度−電流）平面上での２点を結ぶ直線の放射照度＝０の電流Ｉｄを利用する。まず、図４（ａ）で、「減光したセルを除いた特性ｄ」をＩｄの値が零となるようにＸ軸に沿って平行移動させる。その方法は、ｂ、ｃのライン上でＩ１、Ｉ２の点をＩｄだけ移動させた点を求め、この点を通るようにｄをＸ軸に沿って平行移動させればよい。
次に、平行移動したｄがＸ軸（電圧軸）と交わる点を求める。この点が「減光したセルを除いた特性ｄ」の真のＶｏｃである。セルのＶｏｃは、この推定点とモジュールのＶｏｃとの差である。なお、推定したＶｏｃの値は、モジュール特性ａを測定した放射照度のときの値である。
【００１５】
セルのＩ−Ｖ特性：
セルのＩ−Ｖ特性の第一近似は、第１の実施の形態の手法で「減光したセルを除いたＩ−Ｖ特性ｄ」と「当該セルだけを減光した特性ｂ」との差分を、同一電流値に対する電圧値についてとった特性である。特性ｃについて同じことを行えば、セルに関する二つのＩ−Ｖ特性ができる。
より精度の高い被解析セルのＩ−Ｖ特性は、電圧軸の原点を図４（ｂ）のＩｄが零になるように移動することにより、求められる。
【００１６】
（実施例２）
３６個の直列セルから構成されているシリコン結晶系太陽電池モジュールについて測定した。放射照度は０．６４４ｓｕｎ、減光板の減光率は０．６７３と０．４９８である。測定結果を図５（ａ）に示す。特性ａ、ｂ、ｃ、ｄの意味するところは、図４の場合と同様である。したがって、Ｉ−Ｖ特性ｄは、Ｉ−Ｖ特性ａの電圧値を３５／３６倍したものである。
図５（ｂ）は、図５（ａ）の測定結果から得られたＩｓｃの検量線である。本実施例においては、二点を結ぶ直線を平行移動することなく検量線が得られている。この検量線より放射照度０．６４４でのＩｓｃが１．６５Ａと求まる。
【００１７】
図５（ｃ）は、図５（ａ）の測定結果から得られた当該被解析対象セルのＩ−Ｖ特性である。
以上の評価方法の妥当性を検証するために、当該被解析対象セルのＩ−Ｖ特性を直接測定した。検証のために、モジュール裏面を加工して、当該セルの測定端子を取付け、この状態で当該セルのＩ−Ｖ特性を測定した。
【００１８】
【表１】
2004281487.tif 000003
【００１９】
表１に推定値と実測値および両者間の誤差を示す。表１より、本発明の非破壊の測定方法により被測定対象セルのＩ−Ｖ特性を評価できることが検証された。
なお、Ｉｓｃの誤差は、減光率を含め測定系全体の精度およびノイズ処理など実験技術を高めれば改善できる。また、Ｖｏｃの誤差は、第一近似値（モジュールＶｏｃの１／ｎ）で決まるが、これ以上の精度が必要な場合は、電流の分解能を向上させることである。つまり、Ｉｓｃの検量線で修正できる分解能を向上させることである。
【００２０】
以上好ましい実施の形態、実施例について説明したが、本発明はこれら実施の形態、実施例に限定されるものではなく、本発明の要旨を逸脱しない範囲内において適宜の変更が可能なものである。例えば、実施例では、１セルを被測定対象セルとしていたが、適当な任意の個数のセルに遮光板を被せて複数のセルを一括して評価するようにしてもよい。また、本発明は、セルをモジュール、モジュールを太陽電池アレイと読み替えることにより、複数のモジュールを直列に接続して構成される太陽電池アレイに関し、任意の個数のモジュールの特性を非破壊で評価する方法にも適用することができるものである。また、本発明において評価対象とされる太陽電池は、シリコン結晶系に限定されず、薄膜系や化合物半導体系などすべての種類のものに及ぶ。
【００２１】
【発明の効果】
以上説明したように、本発明は、遮光板を被せることなく得たＩ−Ｖ特性の電圧値のみを（ｎ−１）／ｎ倍して得られるＩ−Ｖ特性と、特定の被測定対象セル（モジュール）のみに遮光板を被せて得られるＩ−Ｖ特性とから被測定対象セル（モジュール）のＩ−Ｖ特性を推定するものであるので、太陽電池モジュール（アレイ）の製品完成後において非破壊で太陽電池モジュール（アレイ）端子からその構成セル（モジュール）のＩｓｃ、Ｖｏｃ、Ｉ−Ｖ特性を容易に推定できる。したがって、本発明によれば、例えば、出荷検査時や数年間暴露後の評価においてモジュール（アレイ）を破壊することなく任意のセル（モジュール）のＩ−Ｖ特性を容易にかつ高い精度をもって推定することが可能になる。
【図面の簡単な説明】
【図１】本発明の実施の形態を説明するための太陽電池モジュールの概略図。
【図２】本発明の第１の実施の形態の原理を説明するための特性図。
【図３】本発明の第１の実施例により得られた特性図。
【図４】本発明の第２の実施の形態の原理を説明するための特性図。
【図５】本発明の第２の実施例により得られた特性図。
【符号の説明】
１  太陽電池モジュール
２  基板
３  セル
４、５  出力端子
６  減光板
【図１】
2004281487.tif 000004
【図２】
2004281487.tif 000005
【図３】
2004281487.tif 000006
【図４】
2004281487.tif 000007
【図５】
2004281487.tif 000008